(57)【要約】【課題】直流電源ボックスの箱体本体と底蓋の間の隙間からの水分の侵入を防止した漏水防止カバーを提供すること。【解決手段】板状カバーの直流電源ボックス１の上面側に面する側となる底面部７は直流電源ボックスの舌片部４も含めた上面と同形状とし、底面部の周囲は直流電源ボックスの箱体本体２と底蓋３の舌片部の側面部をカバーするように所望の高さ立ち上げられて止水壁部８が形成されているとともに、底蓋のネジ穴５相当部に貫通孔９が形成され、貫通孔周囲のネジ穴周囲に当接する突起１０が形成されている。【選択図】  図２
2012150952.tif 000002
【特許請求の範囲】
【請求項１】
内部に必要機器が収納されている箱体本体と、この箱体本体の底面内周に嵌装され任意の端部は箱体本体から突出するように舌片部が形成され該舌片部にＬＥＤ照明器具取り付け用のネジ穴が形成されている底蓋より構成され、ＬＥＤ照明器具内に収納して使用される直流電源ボックスを、底蓋を上面としてＬＥＤ照明器具内に収納した場合に、箱体本体と底蓋の間から箱体本体内への漏水を防止するために直流電源ボックスの上面側をカバーするように設けられるゴム製の板状カバーであって、
板状カバーの直流電源ボックスの上面側に面する側となる底面部は直流電源ボックスの舌片部も含めた上面と同形状とし、前記底面部の周囲は直流電源ボックスの箱体本体と底蓋の舌片部の側面部をカバーするように所望の高さ立ち上げられて止水壁部が形成されているとともに、前記底蓋のネジ穴相当部に貫通孔が形成され、前記貫通孔周囲の前記ネジ穴周囲に当接する突起が形成されていることを特徴とする漏水防止カバー。
【請求項２】
前記底面部の周囲に形成された前記止水壁部に関し、直流電源ボックスの箱体本体と底蓋の舌片部の間に位置するように止水壁部に切り欠き部が形成されているとともに、前記切り欠き部よりも箱体本体側の底面部に貫通孔と箱体本体側の底面部を仕切るように帯状突起が形成されていることを特徴とする請求項１に記載の漏水防止カバー。
【請求項３】
前記舌片部は、前記切り欠き部から前記貫通孔に向かって肉厚が薄くなるようにテーパ部が形成されていることを特徴とする請求項２に記載の漏水防止カバー。
【発明の詳細な説明】
【技術分野】
【０００１】
本発明は、ＬＥＤ照明器具内に収納して使用される直流電源ボックスに使用する漏水防止カバーに関するものである。
【背景技術】
【０００２】
近年蛍光灯に代わりＬＥＤ照明器具が使われるようになってきている。ＬＥＤ照明器具の場合直流電源ボックスが必要となるので、直流電源ボックスがＬＥＤ照明器具内に収納されている。直流電源ボックスは一般的には防水処理がされていないので天井直づけタイプなどの場合、天井からの漏水やあるいは湿度により器具内に水分が浸入し絶縁不良となる場合がある。
【０００３】
直流電源ボックスは、一般的には内部に必要機器が収納されている箱体本体と、この箱体本体の底面内周に嵌装され任意の端部は箱体本体から突出するように舌片部が形成され該舌片部にＬＥＤ照明器具取り付け用のネジ穴が形成されている底蓋より構成され、ＬＥＤ照明器具内に収納されて使用される。
【０００４】
なお、照明器具本体を防水対策するものは特許文献１や特許文献２に示されるように各種のものがあるが、本発明は特にＬＥＤ照明器具の直流電源ボックスの漏水防止対策を目的としており、従来の照明器具本体を防水処理するものとは異なるものである。
【先行技術文献】
【特許文献】
【０００５】
【特許文献１】実開平７−１５３０号公報
【特許文献２】実開平１−７０２１０号公報
【発明の概要】
【発明が解決しようとする課題】
【０００６】
上記した直流電源ボックスの場合、箱体本体を上にして底蓋を下にして使用する場合は、箱体本体にはつなぎ目がないので箱体本体内に水が侵入するおそれはない。しかし、場合によっては、底蓋を上側、すなわち底蓋が上面となる向きでＬＥＤ照明器具内に収納して使用される場合がある。
【０００７】
このような場合、箱体本体と底蓋の間には隙間があるので、この隙間から水分が侵入するおそれがある。箱体本体と底蓋の間をコーキングによりシールドする方法もあるが、全周にわたって均一に漏水防止をするためには相当完全に接着する必要があるが、場合によっては器具の点検などのために底蓋を箱体本体から取り外したい場合もあるので、あまり強固に接着してしまうとこのような場合に不便となる。
【０００８】
本発明は、このような課題に鑑みてなされたものであり、その目的とするところは、箱体本体の底面部内周に底蓋が嵌装されている直流電源ボックスを、箱体本体を上にして底蓋を下にして使用する場合に、箱体本体と底蓋の間からの水分の侵入を防止できるようにした漏水防止カバーを提供することである。
【課題を解決するための手段】
【０００９】
上記の目的を達成するために、本発明の漏水防止カバーは、内部に必要機器が収納されている箱体本体と、この箱体本体の底面内周に嵌装され任意の端部は箱体本体から突出するように舌片部が形成され該舌片部にＬＥＤ照明器具取り付け用のネジ穴が形成されている底蓋より構成され、ＬＥＤ照明器具内に収納して使用される直流電源ボックスを、底蓋を上面としてＬＥＤ照明器具内に収納した場合に、箱体本体と底蓋の間から箱体本体内への漏水を防止するために直流電源ボックスの上面側をカバーするように設けられるゴム製の板状カバーであって、
板状カバーの直流電源ボックスの上面側に面する側となる底面部は直流電源ボックスの舌片部も含めた上面と同形状とし、前記底面部の周囲は直流電源ボックスの箱体本体と底蓋の舌片部の側面部をカバーするように所望の高さ立ち上げられて止水壁部が形成されているとともに、前記底蓋のネジ穴相当部に貫通孔が形成され、前記貫通孔周囲の前記ネジ穴周囲に当接する突起が形成されていることを特徴としている。
【００１０】
また、本発明の漏水防止カバーは、前記底面部の周囲に形成された前記止水壁部に関し、直流電源ボックスの箱体本体と底蓋の舌片部の間に位置するように止水壁部に切り欠き部が形成されているとともに、前記切り欠き部よりも箱体本体側の底面部に貫通孔と箱体本体側の底面部を仕切るように帯状突起が形成されていることが好ましい。
【００１１】
また、本発明の漏水防止カバーは、前記舌片部は、前記切り欠き部から前記貫通孔に向かって肉厚が薄くなるようにテーパ部が形成されていることが好ましい。
【発明の効果】
【００１２】
本発明の漏水防止カバーによれば、直流電源ボックスを底蓋が上面となるように使用した場合、箱体本体と底蓋を漏水防止カバーでカバーすることになるので、箱体本体と底蓋の間の隙間から水分が侵入することを防止できる。また、ネジ穴の周囲を突起で囲い、さらにネジ穴が形成されている舌片部と箱体本体の間に位置するように止水壁に切り欠き部を形成するとともに帯状突起を形成したので、貫通孔を経て漏水防止カバーと底蓋の舌片部の間に侵入した水分が箱体本体と底蓋の間の隙間から箱体本体内に侵入することを防止できる。さらに、切り欠き部から貫通孔に向かって肉厚が薄くなるようにテーパ部を形成したので貫通孔周辺の水の排出がより確実になる。
【図面の簡単な説明】
【００１３】
【図１】本発明の漏水防止カバーが使用対象とする直流電源ボックスの斜視図である。
【図２】本発明の漏水防止カバーの斜視図である。
【図３】図２のＡ−Ａ線断面図である。
【図４】図２に示す本発明の漏水防止カバーを図１に示す直流電源ボックスに使用した状態を示す斜視図であり、（ａ）は漏水防止カバーを直流電源ボックスから分離した状態であり、（ｂ）は漏水防止カバーを直流電源ボックスにかぶせるようにしてカバーした状態を示す。
【図５】本発明の漏水防止カバーの他例を示す部分拡大斜視図である。
【図６】本発明の漏水防止カバーの他例を示す部分拡大平面図である。
【図７】（ａ）は図６のＡ−Ｂ−Ｃ線断面図であり、（ｂ）はＤ−Ｂ−Ｅ線断面図である。
【発明を実施するための形態】
【００１４】
本発明の漏水防止カバーの説明に先立ち、本発明の漏水防止カバーが使用対象としている直流電源ボックスを図１に基づいて説明する。直流電源ボックス１は内部に必要機器が収納されている箱体本体２と、この箱体本体２の底面内周に嵌装される底蓋３により構成されている。底蓋３の両端は箱体本体２から突出するように舌片部４が形成され、舌片部４にはＬＥＤ照明器具取り付け用のネジ穴５が形成されている。なお、本発明の漏水防止カバーを使用する必要があるのは、このように構成された直流電源ボックス１を、底蓋３を上面としてＬＥＤ照明器具に使用する場合であり、箱体本体２と底蓋３の隙間から箱体本体２内への漏水を防止するためである。
【００１５】
そして、本発明の漏水防止カバーは、板状カバーの直流電源ボックスの上面側に面する側となる底面部は直流電源ボックスの舌片部も含めた上面と同形状とし、底面部の周囲は直流電源ボックスの箱体本体と底蓋の舌片部の側面部をカバーするように所望の高さ立ち上げられて止水壁部が形成されているとともに、底蓋のネジ穴相当部に貫通孔が形成され、貫通孔周囲のネジ穴周囲に当接する突起が形成されている。
【００１６】
また、本発明の漏水防止カバーは、好ましくは底面部の周囲に形成された止水壁部に関し、直流電源ボックスの箱体本体と底蓋の舌片部の間に位置するように止水壁部に切り欠き部が形成されているとともに、切り欠き部よりも箱体本体側の底面部に貫通孔と箱体本体側の底面部を仕切るように帯状突起が形成されている。
【００１７】
さらにまた、本発明の漏水防止カバーは、好ましくは舌片部は、切り欠き部から貫通孔に向かって肉厚が薄くなるようにテーパ部が形成されている。
【実施例】
【００１８】
［実施例１］
次に本発明の漏水防止カバーの一実施例を、図２〜図４に基づいて詳述する。
本発明の漏水防止カバー６は、ゴム製の板状カバーである。耐水性と弾力性を有していればゴムの材質は問わない。そして、直流電源ボックス１の上面側に面する側となる底面部７は、直流電源ボックス１の舌片部４も含めた上面と同形状となっている。そして、底面部７の周囲は直流電源ボックス１の箱体本体２と底蓋３の舌片部４の側面部をカバーするように所望の高さ立ち上げられて止水壁部８が形成されている。底蓋３のネジ穴５相当部に貫通孔９が形成され、貫通孔９周囲のネジ穴５周囲に当接して水密を図るように突起１０が形成されている。
【００１９】
そして、本発明の漏水防止カバー１を使用するに際しては、図４（ａ）に示すように電源ボックス１を箱体本体２が下側となり底蓋３が上面側となるように配置し、上面側に漏水防止カバー１の底面部７が対向するように配置する。そして、図４（ｂ）に示すように漏水防止カバー１を電源ボックス１に重ね合わせ、止水壁部８で箱体本体２の側面と底蓋３の舌片部４をカバーするようにする。この状態で、電源ボックス１をＬＥＤ照明器具にネジ穴４と貫通孔９を使用してネジにより取り付ける。
【００２０】
箱体本体２と底蓋３を漏水防止カバー６でカバーすることになるので、箱体本体２と底蓋３の間の隙間から水分が侵入することを防止できる。また、ネジ穴４の周囲が貫通孔９の周囲に形成した突起１０で囲まれるので、貫通孔９からの水分が底蓋３の上面に侵入することを防止できる。
【００２１】
［実施例２］
図５は、本発明の漏水防止カバーの他の実施例を示したものであり、基本的には上記実施例１と同じであるので、相違する部分についてのみ説明する。
底面部の周囲に形成された止水壁部８は、直流電源ボックス１の箱体本体２と底蓋３の舌片部４の間に位置するように、止水壁部８に切り欠き部１１が形成されている。また、切り欠き部１１よりも箱体本体２側の底面部７に貫通孔９と箱体本体２側の底面部７を仕切るように帯状突起１２が形成されている。
【００２２】
ネジ穴５が形成されている舌片部４と箱体本体２の間に位置するように止水壁８に切り欠き部１１を形成するとともに帯状突起１２を形成したので、貫通孔９を経て漏水防止カバー１と底蓋３の舌片部４の間に侵入した水分が箱体本体２と底蓋３の間の隙間から箱体本体２内に侵入することを防止できる。
【００２３】
［実施例３］
図６及び図７は、本発明の漏水防止カバーの他の実施例を示したものであり、基本的には上記実施例１及び実施例２と同じであるので、相違する部分についてのみ説明する。
舌片部４には、切り欠き部１１から貫通孔９に向かって肉厚が薄くなるようにテーパ部１３が形成されている。貫通孔９周辺の水分はこのテーパ部に沿って切り欠き部１１の方へ流れるので、カバーの外へ水分は速やかに排出されることになる。特に、水分が多い場合に排出能力が高くなるので有効である。
【産業上の利用可能性】
【００２４】
本発明の漏水防止カバーは、図示した直方体形状の直流電源ボックスに限るものではなく、箱体本体と底蓋の間の隙間からの漏水対策が必要とされるものであればどのようなものでも適用可能である。
【符号の説明】
【００２５】
１      直流電源ボックス
２      箱体本体
３      底蓋
４      舌片部
５      ネジ穴
６      漏水防止カバー
７      底面部
８      止水壁部
９      貫通孔
１０      突起
１１      切り欠き部
１２      帯状突起
１３      テーパ部
【図１】
2012150952.tif 000003
【図２】
2012150952.tif 000004
【図３】
2012150952.tif 000005
【図４】
2012150952.tif 000006
【図５】
2012150952.tif 000007
【図６】
2012150952.tif 000008
【図７】
2012150952.tif 000009